(57)【要約】【課題】地盤の振動を直接に低減させる地盤制振構造を提供する。【解決手段】地盤制振構造が採用された建物１０は、地盤１４から立ち上げられた支持体１２と、支持体１２に支持され、支持体１２に囲まれた空間１８を覆う屋根１６と、加振される床版２２を通じて地盤１４へ伝達された振動２８を低減させる制御力４４を、屋根１６を振動させ、支持体１２を介して地盤１４へ伝達させるアクチュエータ２０と、を有している。【選択図】図１
2015203278.tif 000002
【特許請求の範囲】
【請求項１】
地盤から立ち上げられた支持体と、
前記支持体に支持され、前記支持体に囲まれた空間を覆う屋根と、
加振される床版を通じて前記地盤へ伝達された振動を低減させる制御力を、前記屋根を振動させ、前記支持体を介して前記地盤へ伝達させるアクチュエータと、
を有する地盤制振構造。
【請求項２】
前記地盤の振動を検出する検出手段と、
前記検出手段の検出結果に基づいて、前記地盤へ伝達された前記振動を低減させる制御信号を生成し、前記アクチュエータへ出力する制御手段と、
を有する請求項１に記載の地盤制振構造。
【請求項３】
地盤から立ち上げられた支持体と、
前記支持体に支持され、前記支持体で囲まれた空間を覆い、加振される床版を通じて前記地盤へ伝達された振動と同調する振動周期を備えた屋根と、
を有する地盤制振構造。
【発明の詳細な説明】
【技術分野】
【０００１】
本発明は、地盤制振構造に関する。
【背景技術】
【０００２】
軟弱地盤に建てられたコンサートホール等においては、音楽に合わせて大人数の観客が床版を飛び跳ねると、観客が飛び跳ねることにより発生する大人数加振によって、床板の振動が地盤へ伝達される。この、地盤の振動が建物の外部へ拡散し、周辺の建物を振動させるという問題がある。
大人数加振によって発生した振動が、建物の内部から外部へ拡散しないよう低減する技術には、例えば特許文献１がある。
【０００３】
特許文献１は、コンサートホールの床版を建物及び下方の地盤と縁切し、支持地盤まで到達する杭で支持させている。更に、杭は、振動遮断手段により、周囲地盤との間で振動が遮断されている。これにより、大人数加振等によって、コンサートホールの床版が振動発生源となっても、コンサートホールの床版から、周囲の地盤へ拡散する振動を低減することができる。
【先行技術文献】
【特許文献】
【０００４】
【特許文献１】特開２００７−１０７２０８号公報
【発明の概要】
【発明が解決しようとする課題】
【０００５】
しかし、特許文献１の技術は、地盤の振動を直接に低減させることはできない。
【０００６】
本発明は、上記事実に鑑み、地盤の振動を直接に低減させる地盤制振構造を提供することを目的とする。
【課題を解決するための手段】
【０００７】
請求項１に記載の発明に係る地盤制振構造は、地盤から立ち上げられた支持体と、前記支持体に支持され、前記支持体に囲まれた空間を覆う屋根と、加振される床版を通じて前記地盤へ伝達された振動を低減させる制御力を、前記屋根を振動させ、前記支持体を介して前記地盤へ伝達させるアクチュエータと、を有することを特徴としている。
【０００８】
請求項１に記載の発明によれば、アクチュエータにより屋根を振動させ、支持体を介して、地盤に制御力を伝達させることができる。
これにより、地盤に伝達させた制御力で、加振される床版を通じて地盤へ伝達された振動を、直接に低減させることができる。
【０００９】
請求項２に記載の発明は、請求項１に記載の地盤制振構造において、前記地盤の振動を検出する検出手段と、前記検出手段の検出結果に基づいて、前記地盤へ伝達された前記振動を低減させる制御信号を生成し、前記アクチュエータへ出力する制御手段と、を有することを特徴としている。
【００１０】
請求項２に記載の発明によれば、検出手段により地盤の振動が検出され、制御手段により、検出手段の検出結果に基づいてアクチュエータが制御される。このとき、制御手段は、地盤の振動を低減させる制御力が支持体に伝達するように、アクチュエータを制御して屋根を振動させる。
この結果、大人数加振等によって地盤に振動が伝達されても、加振される床版を通じて地盤へ伝達された振動を、屋根を振動させて発生させた制御力で低減させることができる。
【００１１】
請求項３に記載の発明に係る地盤制振構造は、地盤から立ち上げられた支持体と、前記支持体に支持され、前記支持体で囲まれた空間を覆い、加振される床版を通じて前記地盤へ伝達された振動と同調する振動周期を備えた屋根と、を有することを特徴としている。
【００１２】
請求項３に記載の発明によれば、地盤制振構造は、加振される床版を通じて、地盤へ振動が伝達されたとき、支持体を介して伝達された、地盤の振動と同調する振動周期を備えた屋根を有している。
即ち、屋根の振動周期は、地盤の振動周期と同調しているので、屋根は、地盤の振動と逆位相で振動し、支持体を介して屋根に伝達された振動が、地盤の振動を打ち消す方向に作用する。この結果、屋根の振動で地盤の振動を直接に低減することができる。
【発明の効果】
【００１３】
本発明は、上記構成としてあるので、地盤の振動を直接に低減する地盤制振構造を提供することができる。
【図面の簡単な説明】
【００１４】
【図１】本発明の第１実施形態に係る地盤制振構造が採用された建物の基本構成を示す模式図である。
【図２】本発明の第２実施形態に係る地盤制振構造が採用された建物の基本構成を示す模式図である。
【発明を実施するための形態】
【００１５】
（第１実施形態）
図１を用いて、第１実施形態に係る地盤制振構造を、例えばコンサートホール等の、大人数の観客を収容可能な建物１０へ適用した例について説明する。
【００１６】
図１の模式図に示すように、建物１０は地盤１４から立ち上げられた柱、及び柱間に設けられた壁を有する側壁（支持体）１２を有している。側壁１２は、室内空間１８と室外空間１９を仕切り、側壁１２で囲まれた地盤１４の上には、コンクリート製の床版２２が敷設されている。床版２２の上には、図示しない、大人数の観客用の観客席等が設けられ、室内空間１８は、側壁１２に支持されたアーチ状の屋根１６で覆われている。
【００１７】
これにより、床版２２、側壁１２及び屋根１６で、大人数が収容可能な室内空間１８が形成されている。また、側壁１２は、地盤１４に構築された基礎部５４に支持され、基礎部５４の下方では、建物１０の内部の地盤１４と、外部の地盤１４が連続している。
屋根１６は、表層の屋根材５６と、屋根材５６を支持するトラス構造の構造部材５８を有している。屋根１６はアーチ状に形成され、大きな質量を備えている。
【００１８】
また、屋根１６の下端部と側壁１２の上端部との接合部には、例えば油圧ダンパー等の、制御入力を受けて伸縮するアクチュエータ２０が、複数個取付けられている。
アクチュエータ２０は、一端が屋根１６の下端部と連結され、他端が側壁１２の上端部と連結されている。これにより、アクチュエータ２０は、側壁１２を反力受けとして伸縮し、屋根１６を、矢印４２で示す上下方向に振動させることができる。
また、アクチュエータ２０は、屋根１６を揺らせた反力を、側壁１２を介して、矢印４４で示す制御力として地盤１４へ伝達させる。
【００１９】
また、建物１０の外側の地盤１４には、床版２２から伝達された、矢印２８で示す地盤１４の振動を検出するセンサ（検出手段）２４が設けられている。これにより、建物１０の外側へ拡散された地盤１４の振動を検出することができる。センサ２４は、検出結果をコントローラ（制御手段）２６へ出力する。
【００２０】
コントローラ２６は、センサ２４の検出結果に基づいて、制御信号を出力し、アクチュエータ２０を制御する。ここに、コントローラ２６は、屋根１６が、地盤１４の振動を低減させる（打ち消す）周期で振動するように、制御信号を生成し、アクチュエータ２０に出力し、アクチュエータ２０を制御する。
【００２１】
本構成とすることにより、大人数の観客による大人数加振で、床版２２が加振され、建物１０の外側の地盤１４が振動したとき、地盤１４へ伝達された振動がセンサ２４で検出される。センサ２４は、検出結果をコントローラ２６へ出力する。
コントローラ２６は、センサ２４の検出結果に基づいて、地盤１４の振動を低減させ、打ち消す周期の信号（例えば、地盤１４の振動と逆位相の信号）を生成し、アクチュエータ２０へ出力する。
アクチュエータ２０は、コントローラ２６からの制御信号に基づいて伸縮し、屋根１６を、上下方向へ振動させる。
【００２２】
アクチュエータ２０は、側壁１２を反力受けとして屋根１６を振動させる。この結果、側壁１２を介し、屋根１６を振動させて発生させた制御力４４を、地盤１４に作用させることができる。このとき、制御力４４は、地盤１４の振動を打ち消す方向に作用する力（例えば、地盤１４の振動と逆位相の力）であり、観客による大人数加振で加振される床版２２を通じて地盤１４へ伝達された振動を、制御力４４で抑制することができる。
【００２３】
この結果、大人数加振等によって地盤１４に振動が発生しても、加振される床版２２を通じて地盤１４へ伝達された振動を、屋根１６の振動による制御力４４で制御し、地盤１４の振動が建物１０（側壁１２）の外側の地盤１４へ拡散するのを、直接に低減することができる。これにより、建物１０からの振動の拡散が低減され、建物１０の周辺の建物の振動を低減することができる。
【００２４】
なお、本実施形態では、屋根１６を、アクチュエータ２０を制御して伸縮させる構成で説明した。しかし、これに限定されることはなく、図示は省略するが、屋根１６に印加電圧を受けて伸縮する膜型圧電素子を貼り付け、膜型圧電素子を制御して、膜型圧電素子で屋根１６を上下方向へ振動させてもよい。
また、アクチュエータ２０と、膜型圧電素子の両者をそれぞれ取付けて、屋根１６を上下方向へ振動させてもよい。
【００２５】
また、本実施形態では、屋根１６をアーチ形状として説明した。しかし、アーチ形状に限定されることはなく、屋根形状は、片流れ、切妻、寄棟、方形、入母屋、又は陸屋根等のいずれであっても良い。
【００２６】
また、本実施形態では、センサ２４の取付け位置を、建物１０の外側の地盤１４の位置として説明した。しかし、これに限定されることはなく、センサ２４の取付け位置は、例えば、地盤１４と床版２２の振動の関係が把握されていれば、建物１０の内側の床版２２の位置でもよい。
【００２７】
（第２実施形態）
図２を用いて、第２実施形態に係る地盤制振構造を、建物３０へ適用した例について説明する。建物３０は、アクチュエータを使用せずに屋根３６を振動させる点において、第１実施形態と相違する。相違点を中心に説明する。
【００２８】
図２の模式図に示すように、建物３０は地盤１４から立ち上げられた柱、及び柱間に設けられた壁を有する側壁（支持体）３２を有している。側壁３２は、室内空間３８と室外空間３９を区画し、側壁３２で囲まれた地盤３４の上には、コンクリート製の床版５０が設けられている。床版５０の上は、側壁３２に支持された平板状の屋根（陸屋根）３６で覆われている。
【００２９】
これにより、床版５０、側壁３２及び屋根３６で、大人数が収容可能な室内空間３８が形成されている。また、側壁３２は、地盤１４に構築された基礎部５４に支持され、基礎部５４の下方の地盤１４は、建物３０の内部と外部で連続している。
屋根３６は、上層の屋根材６０と、屋根材６０を支持するトラス構造の構造部材６２を有し、大きな質量を備えている。
【００３０】
ここに、屋根３６は、屋根材６０と構造部材６２の質量をマスとし、屋根材６０と構造部材６２の剛性をバネとみなしたとき、地盤３４が大人数加振で振動されたとき、側壁３２を介して伝達された地盤３４の振動を受けて、自ら、上下方向（矢印４６の方向）の振動を開始する構成とされている。
【００３１】
具体的には、屋根３６の振動周期を、地盤３４の振動周期と一致させて構築されている。これにより、大人数加振による地盤３４の振動を受けて、屋根３６が、地盤３４の振動と逆位相で振動を開始する。
この屋根３６の振動により、側壁３２から地盤３４へ、直接に矢印４８で示す制御力が加えられ、大人数加振による矢印４０で示す地盤３４の振動が低減される。この結果、建物３０の外に、地盤３４の振動が拡散するのを低減することができる。
【００３２】
また、屋根３６の下端部と側壁１２の上端部との接合部には、外力を受けて伸縮するダンパー５２が取付けられている。ダンパー５２は、屋根３６の下端部と側壁３２の上端部との間の変位を受けて伸縮し、これらの急激な変位を低減する。
これにより、屋根３６を、上下方向（矢印４６の方向）に振動させると、屋根３６が揺れることにより生じる、矢印４８で示す制御力を、側壁１２を介して地盤１４へ伝達させることができる。
【００３３】
本構成とすることにより、大人数の観客による大人数加振で床版２２が加振されたとき、地盤３４へ振動が伝達される。側壁３２を介してこの振動が伝達され、屋根３６が振動する。このとき、屋根３６の振動は、地盤３４の振動を低減させる（打ち消す）方向に作用する振動（例えば、地盤３４の振動と逆位相の振動）となる。これにより、側壁３２を介して、制御力４８を、地盤３４に作用させることができる。
即ち、観客による大人数加振で加振される床版５０を通じて地盤３４へ伝達された振動を、屋根３６の振動で低減させることができる。
【００３４】
この結果、大人数加振等によって地盤３４に振動が発生しても、加振される床版５０を通じて地盤３４へ伝達された振動を、屋根３６の振動による制御力で直接制御し、地盤３４の振動が側壁３２の外側へ拡散するのを低減することができる。
他の構成は、第１実施形態と同じであり、説明は省略する。
【００３５】
なお、本実施形態では、屋根３６の形状を、傾斜のない平根屋（陸屋根）として説明した。しかし、これに限定されることはなく、屋根形状は、片流れ、切妻、寄棟、方形、入母屋、又はアーチ状等のいずれであっても良い。
【符号の説明】
【００３６】
１０、３０  建物
１２、３２  壁体（支持体）
１４、３４  地盤
１６、３６  屋根
１８、３８  室内空間（空間）
２０  アクチュエータ
２２、５０  床版
２４  センサ（検出手段）
２６  コントローラ（制御手段）
２８、４０  大人数による加振力（振動）
４２、４６  屋根の振動
４４、４８  地盤に伝達される制御力
【図１】
2015203278.tif 000003
【図２】
2015203278.tif 000004